(57)【要約】      （修正有）【課題】容器本体が静止した状態であっても、封入液を撹拌して装飾片を揺動させることができ、かつ、封入液の攪拌手段として備えられた電動機の防水構造を不要とすることができるスノーグローブを提供する。【解決手段】装飾片を含む封入液が充填されたドーム状に形成された容器本体と、容器本体を密閉して支持する基台部とを備え、基台部には、封入液を撹拌する撹拌手段が設けられており、封入液が撹拌されることで、装飾片が容器本体内で揺動されるように構成されているスノーグローブであって、撹拌手段は、上部に回転力を推進力に変換する推進翼が形成された第１の永久磁石と、隔壁を介して、第１の永久磁石と非連結状態に配設された第２の永久磁石と、第２の永久磁石に回転軸が連結された電動機とを備えている。【選択図】図１
0003202218.tif 000002
【実用新案登録請求の範囲】
【請求項１】
装飾片を含む封入液が充填されたドーム状に形成された容器本体と、
該容器本体を密閉して支持する基台部とを備え、
該基台部には、前記封入液を撹拌する撹拌手段が設けられており、前記該撹拌手段で前記封入液が撹拌されることで、前記装飾片が前記容器本体内で揺動されるように構成されているスノーグローブであって、
前記撹拌手段は、
上部に回転力を推進力に変換する推進翼が形成された第１の永久磁石と、
隔壁を介して、前記第１の永久磁石と非連結状態に配設された第２の永久磁石と、
該第２の永久磁石に回転軸が連結された電動機とを備え、
ていることを特徴とするスノーグローブ。
【請求項２】
前記電動機が回転駆動されることに応じて回転される第２の永久磁石との磁力の作用で前記第１の永久磁石が回転され、
該第１の永久磁石の回転に連動して前記推進翼が回転されて前記封入液が撹拌されることで、前記装飾片が揺動されるように構成されている
ことを特徴とする請求項１に記載のスノーグローブ。
【請求項３】
前記基台部には、接続された外部機器と通信を行う通信制御部を含むコンピュータ制御部が設けられ、
該コンピュータ制御部は、
接続された外部機器から所定の音楽ファイルをダウンロードし、このダウンロードした音楽を前記基台部に設けられたスピーカーから流すように制御し、
前記音楽の音量に連動させて前記電動機の回転軸の回転速度を制御する
ことを特徴とする請求項１又は請求項２に記載のスノーグローブ。
【請求項４】
前記基台部には、前記容器本体を通過して外部に発光する発光手段を備え、
前記コンピュータ制御部は、
前記音楽の音量に連動させて発光手段の発光色を可変する
ことを特徴とする請求項３に記載のスノーグローブ。
【考案の詳細な説明】
【技術分野】
【０００１】
本考案は、スノーグローブに関し、特に、密閉されたドーム形状の容器に封入された液体を、容器を支持する基台部に設けられた２つの永久磁石と電動機とを利用して攪拌し、容器内に封入された装飾片を揺動させるスノーグローブに関するものである。
【背景技術】
【０００２】
従来、スノーグローブは、スノードームとも呼称され、例えば、下記特許文献１には、「本考案は、置物や玩具として用いるスノードームにカレンダーを設けたスノードーム型カレンダーに関する。なお、スノードーム型カレンダーは、ウォータードームカレンダーと称して使用されることもある。従来から、アクリル樹脂等によって球形やドーム型に形成された透明容器の内部に透明な液体を充填し、その中に庭園や建物等の模造的な展示物を設置すると共に、その液体の内部に微小な装飾片を浮遊させるようにしたスノードームが知られている。このスノードームは、その本体を構成する容器を動かすことによって、容器内の液体中に収容した微小な装飾片が、雪が舞うように移動することから名づけられたものであり、英語では、スノーグローブ（Snow globe）と称されている。」（段落「０００１」〜「０００３」参照。）と記載されている。
【０００３】
この特許文献１に記載の「スノードーム型カレンダー」は、「上部を半球形に形成したドーム型の透明容器に透明な液体を充填し、その液体の内部に多数の微小な装飾片を収容すると共に、透明容器の底部に設けた開口部から上方へ向けて該透明容器内の液体から隔絶された状態で所定幅のスリットを形成する枠部材を設け、該スリットにカレンダー等の表示片を交換可能に挿入すると共に、該透明容器の底部を受ける受台によってスリットの開口部を閉じるようにしたこと」（「請求項１」、図１等参照。）を特徴とし、これにより、「透明容器の底部に設けた開口部からスリット内にカレンダー等の表示片を挿入すると、透明容器及び透明な液体を透して、カレンダー等の表示片を外方から見ることができる」（段落「００１０」等参照。）という効果を奏するものである。
【０００４】
また、下記特許文献２には、「浮遊体を含む封入液が充填されている透明な容器本体と、前記容器本体を支持する基台と、前記封入液を攪拌するためのモータ付攪拌手段と、前記モータを駆動する太陽電池と、を備えることを特徴とする机上装飾品」（「請求項１」参照。）が記載されている。特許文献２には、「机上装飾品」が「スノーグローブ（スノードーム）」であることが記載されている（段落「０００２」参照。）。特許文献２記載の「机上装飾品」は、「モータの駆動軸のみを前記グローブ部のような封入液が封入された容器部の底部に貫入させるとその部分から封入液が漏れることによるショート等による故障や浮遊体等の影響により、モータの回動が阻害される」（段落「０００６」参照。）等の問題を解決するために、封入液を撹拌するための撹拌手段にモーター（電動機）を一体的に形成した「モータ付撹拌手段」を、「容器本体」内部に設け、また、この「モーター付撹拌手段」を駆動するために電力を供給する「太陽電池」を「容器本体」内に設けている。
【先行技術文献】
【特許文献】
【０００５】
【特許文献１】登録実用新案第３１７１３２４号公報
【特許文献２】登録実用新案第３１５７２１４号公報
【考案の概要】
【考案が解決しようとする課題】
【０００６】
上記特許文献１に記載のスノードーム型カレンダー１（スノーグローブ）は、透明容器２を静的に設置している状態では、液体３の内部に収容されている微小な装飾片４もまた動かずに静止している状態にあり、この装飾片４を液体４中で揺動させるためには、透明容器２を振るなどして動かさなければならない。
【０００７】
これに対して、上記特許文献２に記載のスノーグローブは、モーターを用いて容器内の液体を撹拌し、透明容器が静止している状態でも、装飾片を揺動させることができるものである。
【０００８】
しかしながら、上記特許文献２記載の机上装飾品１（スノーグローブ）は、封入液Ｌで満たされると共に光を透過する浮遊体（例えばグリッタＧ）が封入された容器本体２内にモータ４の付いた撹拌手段５が設けられ、モータ４の回転軸４ｂの先端には、封入液Ｌを撹拌するためのスクリュー様の羽根部７が装着されている。ここで、特許文献２の「考案が解決しようとする課題」の欄には、「モータの駆動軸のみを前記グローブ部のような封入液が封入された容器部の底部に貫入されるとその部分から封入液が漏れることによるショート等による故障や浮遊体等の影響により、モータの回動が阻害される危険性があり、それら液漏れ等を防止するためには特別な設計が必要になるという問題もあった」（段落「０００６」参照。）と記載されている。特許文献２記載の発明は、上記のようにモータ４が、封入液Ｌが封入された容器本体２内に設けられている。特許文献２には明記されていないが、モータ４は防水加工されていると推量されるものの、電気機器であるモータ４を液中に設けるので、高い防水性を備えなければならず、モータ４の製造コストは高くなることが予想される。特に、回転軸４ｂからモータ４内部への封入液Ｌの侵入を防止するための構造は非常に高い防水性を備えなければならない。しかしながら、特許文献２には、上記した従来技術の問題点については、何ら言及されていないものと思われる。
【０００９】
また、特許文献２に記載の机上装飾品１は、モータ４の付いた撹拌手段５が、容器本体２内に設置され外部から容易に視認されるので、美しい視覚効果を発揮するとは言い難い。また、特許文献２に記載の机上装飾品１は、モータ４の駆動電力手段として太陽電池８を用いているので、太陽電池８を充電するときには、太陽電池８が発電可能な透過光のある場所に移動させておく必要がある。
【００１０】
そこで、本考案は、容器本体が静止した状態であっても、封入液を撹拌して装飾片を揺動させることができ、かつ、封入液の攪拌手段として備えられた電動機の防水構造を不要とすることができるスノーグローブを提供することを目的とする。
【００１１】
また、本考案は、攪拌手段を外部から視認できないように構成し、外部から見て美しい視覚効果を発揮するスノーグローブを提供することを目的とする。
【課題を解決するための手段】
【００１２】
上記の目的を達成するため、請求項１の考案では、装飾片を含む封入液が充填されたドーム状に形成された容器本体と、該容器本体を密閉して支持する基台部とを備え、該基台部には、前記封入液を撹拌する撹拌手段が設けられており、前記該撹拌手段で前記封入液が撹拌されることで、前記装飾片が前記容器本体内で揺動されるように構成されているスノーグローブであって、前記撹拌手段は、上部に回転力を推進力に変換する推進翼が形成された第１の永久磁石と、隔壁を介して、前記第１の永久磁石と非連結状態に配設された第２の永久磁石と、該第２の永久磁石に回転軸が連結された電動機とを備えていることを特徴とする。
【００１３】
また、請求項２の考案では、請求項１の考案において、前記電動機が回転駆動されることに応じて回転される第２の永久磁石との磁力の作用で前記第１の永久磁石が回転され、該第１の永久磁石の回転に連動して前記推進翼が回転されて前記封入液が撹拌されることで、前記装飾片が揺動されるように構成されていることを特徴とする。
【００１４】
また、請求項３の考案では、請求項１又は請求項２の考案において、前記基台部には、接続された外部機器と通信を行う通信制御部を含むコンピュータ制御部が設けられ、該コンピュータ制御部は、接続された外部機器から所定の音楽ファイルをダウンロードし、このダウンロードした音楽を前記基台部に設けられたスピーカーから流すように制御し、前記音楽の音量に連動させて前記電動機の回転軸の回転速度を制御することを特徴とする。
【００１５】
また、請求項４の考案では、請求項３に記載の考案において、前記基台部には、前記容器本体を通過して外部に発光する発光手段を備え、前記コンピュータ制御部は、前記音楽の音量に連動させて発光手段の発光色を可変することを特徴とする。
【考案の効果】
【００１６】
本考案によれば、装飾片を含む封入液が充填された容器本体と、この容器本体を密閉して支持する基台部と、この基台部に電動機を有する攪拌手段とを備えたスノーグローブにおいて、電動機の防水構造が不要な構成にしたので、簡単な構成でスノーグローブの品質、特に防水の品質を向上することができる。
【００１７】
また、本考案によれば、前記スノーグローブにおいて、攪拌手段を外部から視認できないように構成したので、美しい視覚効果を奏することができる。そして、例えば、基台部の台座部に人形を載置して、封入液を攪拌して装飾片を人形の周囲で揺動させることができるので、なお一層の美しい視覚効果を発揮することができる。
【図面の簡単な説明】
【００１８】
【図１】本考案の実施形態におけるスノーグローブの正面図である。
【図２】本考案の実施形態におけるスノーグローブの背面図である。
【図３】本考案の実施形態におけるスノーグローブの前方からみた斜視図である。
【図４】図１のＡ−Ａ線断面図である。
【図５】本考案の実施形態における撹拌部の分解斜視図である。
【図６】本考案の実施形態におけるスノーグローブの動作状態を示す斜視図である。
【考案を実施するための形態】
【００１９】
以下、好適な実施形態を用いて本考案をさらに具体的に説明する。但し、下記の実施形態は本考案を具現化した例に過ぎず、本考案はこれに限定されるものではない。
【００２０】
（実施形態）
本考案の実施形態におけるスノーグローブについて、図１〜図６を参照しながら説明する。スノーグローブ１は、ガラスやアクリル樹脂（合成樹脂）等の透明な材料でドーム形状に形成された容器本体２と、この容器本体２を支持する基台部３を備えている。容器本体２には、グリッタ（ｇｌｉｔｔｅｒ）や、粉雪を模した粉体等の装飾片Ｇとともに、水や油等の透明な液体である封入液Ｌが充填されている。装飾片Ｇは、封入液Ｌが攪拌されることで容器本体２内で揺動され、美しい視覚効果を奏することができる。なお、「揺動」とは、封入液Ｌが撹拌されることで、装飾片Ｇが溶液本体２内で撹拌された封入液Ｌによって揺れ動く様を表しており、「浮遊」、「拡散」、その他の類似の表現に置き換えてもよい。図１では、装飾片Ｇが、封入液Ｌが撹拌されることで、容器本体２内で揺動している状態の一例を示している。装飾片Ｇは、図３に示すように封入液Ｌが攪拌されない静止状態では、自重により、容器本体２の底部に沈殿している。
【００２１】
基台部３は、ドーム形状の容器本体２を下方から支持できるように、容器本体２の形状に合わせて略円筒状に形成されている。基台部３の下端部には、テーパ部３ａが形成され、基台部３の正面のテーパ部３ａにマイクＭＣが設けられている。また、図２の背面図に示すように、基台部３の背面には、操作パネル４、主としてオーディオ用途の外部機器接続端子ＡＵＴ、電力を供給して基台部３内に設けられた蓄電池を充電するためのマイクロＵＳＢ端子ＵＢＴが設けられている。マイクロＵＳＢ端子ＵＢＴを介して、スノーグローブ１と外部機器との双方向の信号の送受信も行われる。操作パネル４には、装飾片Ｇの揺動の開始・停止を制御するためのスノーダンスキーＳＤＫ、Ｂｌｕｅｔｏｏｔｈ（登録商標）デバイスの接続設定を行うペアリングキーＰＲＫ、ボリュームキーＶＭＫ、電源キーＰＳＫが備えられている。基台部３の底面の略中央部には、スピーカーＳＰが設けられている。また、基台部３の底面の外周近傍には、４つの脚部３ｃが均等に配設されている。
【００２２】
図３に示すように、基台部３の上面には、中央部に円形の台座部５が形成され、台座部５の周囲に放射状に複数の開孔部６が形成された円形の基台蓋部７が設けられている。容器本体２には、装飾片Ｇと封入液Ｌが充填されており、封入液Ｌは、開孔部６を通過して基台部３上部に形成された推進部８にも充填されている。装飾片Ｇは、開孔部６の孔径よりも拡径に形成されているので、開孔部６を通過することなく、基台蓋部７及び台座部５の上面に沈殿している。
【００２３】
図３に示すように、台座部５の上面には、人形Ｆが固設されている。容器本体２内に人形Ｆを展示することで、封入液Ｌを撹拌した際に、装飾片Ｇが人形Ｆの周囲を揺動するので、視覚効果を向上させることができる。人形Ｆは、アニメ、ゲーム、映画等のキャラクターをかたどったフィギュアであれば、視覚効果をさらに向上させることができる。
【００２４】
図４に示すように、容器本体２は、ドーム形状の下部が開口され、この開口部には、基台部３の上部と連結されるための略円筒形の環状凸部２ａが連設して形成されている。基台部３の上部には、略円筒形の環状凹部３ｂが形成されている。また、環状凹部３ｂの内側には、略円筒形の環状側面を有する撹拌部９が形成されており、この撹拌部９の環状の側面と環状凹部３ｂとの間隙に環状凸部２ａを密着して装入することで、容器本体２を密閉することができ、封入液Ｌが基台部３内に漏洩することが防止されている。
【００２５】
撹拌部９は、図示するように、推進部８と駆動部１０を備えている。推進部８は、隔壁部１１により、駆動部１０と隔絶されている。推進部８には、基台蓋部７の開孔部６を介して封入液Ｌが充填されるが、隔壁部１１により、駆動部１０への封入液Ｌの漏洩が防止されている。隔壁部１１は、シリコンゴム等の耐熱・耐水・耐薬品性に優れている弾性材料で形成されている。隔壁部１１の推進部８と駆動部１０との境界部分を、特に、仕切り部１１ａという。
【００２６】
仕切り部１１ａの推進部８側には、鍔状の第１の永久磁石ＰＭ１が配設され、この第１の永久磁石ＰＭ１の上には、封入液Ｌを撹拌するための推進翼１２が取り付けられている。図５（ａ）に示すように、推進翼１２はプロペラ形状をなしているが、封入液Ｌを撹拌できる形状に形成されていればよい。第１の永久磁石ＰＭ１が回転すれば、推進翼１２も同時に回転し、封入液Ｌを撹拌することができる。第１の永久磁石ＰＭ１及び推進翼１２は、図４及び図５（ａ）に示されるように、中央部が回転軸８ａで軸支されており、回転軸８ａは、仕切り部１１ａに埋設された軸受け部８ｂで支持されている。仕切り部１１ａの上面には、台座部５を支持するための４つの支持台９ａが立設されている。
【００２７】
仕切り部１１ａの下側には、駆動部１０が設けられている。駆動部１０は、仕切り部１１ａを含む隔壁部１１によって、推進部８と隔絶されているので、駆動部１０内に封入液Ｌが漏洩することはない。駆動部１０には、仕切り部１１ａを介して、第１の永久磁石ＰＭ１に対向した位置に鍔状の第２の永久磁石ＰＭ２が配設されている。第１の永久磁石ＰＭ１と第２の永久磁石ＰＭ２とは、仕切り部１１ａによって隔絶されており、非連結状態で配設されている。第２の永久磁石ＰＭ２の略中心部には、略円筒形の電動機１３の回転軸１３ａが軸支されており、電動機１３を駆動すると、回転軸１３ａの回転に連動して、第２の永久磁石ＰＭ２も回転するように構成されている。なお、図４の断面図において、電動機１３は、周知技術であるので、内部のローター、永久磁石、コイル、ブラシ等の詳細部品を省略して記載している。第２の永久磁石ＰＭ２は、電動機１３とともに、隔壁部１１の開口部１１ｂに着脱可能に嵌装される。
【００２８】
基台部３の背面（図４の右側）には、操作パネル４が設けられ、底部には、スピーカーＳＰが設けられている。スピーカー部ＳＰは、基台部３に設けられたオーディオ制御部（不図示）に接続されている。また、基台部３の正面（図４の左側）底部には、マイクロＵＳＢ端子ＵＢＴが設けられ、このマイクロＵＳＢ端子ＵＢＴに接続されたＵＳＢケーブルを介して、外部機器との信号の送受信や、基台部３内に設けられた蓄電池への充電が行われる。
図示しないが、基台部３には、デジタル機器用近距離無線通信の規格の１つであるＢｌｕｅｔｏｏｔｈ（登録商標）に対応した通信制御部を含むコンピュータ制御部を備えている。このコンピュータ制御部は、前記通信制御の他に、電動機１３その他基台部に設けられた電気・電子機器の制御を行う。また、基台部３の上部であって、基台蓋部７の下方には、基台部３側から容器本体２側に向けて放射状に光を照射する発光手段（不図示）が設けられている。この発光手段は発光色が可変に構成され、発光の制御、発光色の可変制御は、コンピュータ制御部で行われる。発光手段の光源としては、ＬＥＤ（発光ダイオード）が好適である。
【００２９】
次に、スノーグローブ１の動作について説明する。スノーグローブ１は、予め、基台部３内に設けられた蓄電池が、マイクロＵＳＢ端子ＵＢＴにＵＳＢケーブルを接続して、外部の電力供給手段から充電されているものとする。
【００３０】
電源キーＰＳＫを操作（押圧又は接触）することでスノーグローブ１に電源が投入される。Ｂｌｕｅｔｏｏｔｈ（登録商標）による通信を使用するときには、電源投入後に、必要に応じてペアリングキーＰＲＫを操作してペアリングを行う。電源が投入されると、スノーグローブ１に備えられた機能が使用可能となる。電子的な制御はコンピュータ制御部で行われる。
【００３１】
スノーダンスキーＳＤＫを操作すると、電動機１３が回転駆動され、回転軸１３ａが回転し、同時に、回転軸１３ａに連結された第２の永久磁石ＰＭ２が回転する。第２の永久磁石ＰＭ２の磁力は、仕切り部１１ａを介して、第１の永久磁石ＰＭ１に作用するように構成されているので、第１の永久磁石ＰＭ１は、第２の永久磁石ＰＭ２の回転に応答して回転する。このような磁石の作用は周知である。第２の永久磁石ＰＭ２が回転すると、上面に固設された推進翼１２も同時に回転する。推進翼１２は、いわゆるプロペラ形状をなしているので、回転することで、推進翼１２が設けられている推進部８に充填されている封入液Ｌを攪拌することができる。攪拌された封入液Ｌは開孔部６を通過して容器本体２内に流入されるので、基台蓋部７に沈殿していた装飾片Ｇは、この容器本体２内に流入された封入液Ｌにより、人形Ｆの周囲をあたかも粉雪が舞い踊るように揺動され、美しい視覚効果を奏することができる。
【００３２】
このように、第１の永久磁石ＰＭ１と、第２の永久磁石ＰＭ２とは、仕切り部１１ａによって非連結状態で配設されているので、容器本体２と基台部３とは、推進部８を除いて密閉状態で連結することができるので、封入液Ｌが基台２内部に漏洩することがなく、基台２内部に設けられた電動機１３、コンピュータ制御器等の電気・電子機器を防水構造にする必要がなく、制作コストを安価にすることができ、品質も向上させることができる。
【００３３】
発光手段は、電源キーＰＳＫのオンオフに連動して制御することができる。また、電動機１３の駆動に連動して制御することができる。つまり、電動機１３が回転駆動されると発光手段が発光し、電動機１３が停止されると消灯するように制御することができる。
【００３４】
また、スノーグローブ１（具体的には、通信制御部）と、Ｂｌｕｅｔｏｏｔｈ（登録商標）を搭載した携帯電話機、スマートフォン、タブレット端末等の外部機器を接続して、これらの外部機器から音楽ファイルをダウンロードして電動機１３の回転駆動と連動してスピーカーＳＰから音楽を流すことができる。電動機１３の回転軸１３ａの回転速度は、音楽の音量に連動するように制御される。つまり、スピーカーＳＰから流れる音楽の音量が大きいときは回転軸１３ａの回転速度が上がるので、連動して回転する推進翼１２の回転速度も上がり、これにより封入液Ｌの撹拌速度も上がり、結果として、装飾片Ｇが勢いよく揺動される。逆に、スピーカーＳＰから流れる音楽の音量が小さいときは、装飾片Ｇはゆっくりと揺動される。同時に、ＬＥＤの発光色も音楽に連動して変化するように制御されている。このように制御されることで、スピーカーＳＰから放たれる音量に連動してスノーパウダーが華麗に舞い踊り、幻想的なＬＥＤライティングが独自の世界観と多彩な表情を演出するという従来にない効果を奏することができる。
【００３５】
図６は、スノーグローブ１を動作させた状態を正面から見た図であり、装飾片Ｇが、容器本体２内に揺動されている状態を示している。なお、スピーカから流す音楽がアニメや映画等の挿入曲のときは、音量だけでなく、アニメや映画のシーンに合わせて回転軸１３ａの回転速度、発光手段の発光色を変化させるようにしてもよい。また、音楽ファイルのダウンロードは、音楽ファイルを一旦ダウンロードしてコンピュータ制御部に設けられた記憶手段に記憶した後、再生するようにしてもよいし、音楽ファイルを転送しながら再生するストリーミング方式のダウンロードでもよい。
【００３６】
スノーグローブ１とＢｌｕｅｔｏｏｔｈ（登録商標）を搭載した通話機能を有する外部機器とを接続したときには、マイクＭＣとスピーカーＳＰＫを使用して通話が可能なように構成されている。接続した外部機器のマイクとスピーカーを使用するときは、スノーグローブ１と外部機器とのペリングを解除すればよい。
【００３７】
発光手段は、インジケータとしても制御される。例えば、基台部３内に設けられた蓄電池を充電中は、赤色の光を発光させ、充電が完了すると消灯させる。また、Ｂｌｕｅｔｏｏｔｈ（登録商標）非接続時やペアリング中は、それぞれ、所定の時間（秒）間隔で青色点滅させ、接続が完了したら、グラデーション点灯または白色点灯に切り換える。また上記蓄電池の充電残量が低下してきたら所定の時間（秒）間隔で赤色点滅させる。なお、ＬＥＤの発光色、発光時間等は、適宜変更されてよい。
【００３８】
以上、説明したように、本考案によれば、装飾片Ｇを含む封入液Ｌが充填された容器本体２と、この容器本体２を密閉して支持する基台部３と、この基台部３に電動機１３を有する攪拌手段９とを備えたスノーグローブ１において、基台部３内の電動機１３を含む電気・電子機器の防水構造が不要な構成にしたので、簡単な構成でスノーグローブ１の品質、特に防水の品質を向上することができる。また、本考案によれば、スノーグローブ１において、攪拌手段９を外部から視認できないように構成したので、美しい視覚効果を奏することができる。そして、例えば、基台部３の台座部５に人形Ｆを載置して、封入液Ｌを攪拌して装飾片Ｇを人形Ｆの周囲で揺動させることができるので、なお一層の美しい視覚効果を発揮することができる。
【符号の説明】
【００３９】
１      スノーグローブ
２      容器本体
２ａ    環状凸部
３      基台部
３ａ    テーパー部
３ｂ    環状凹部
３ｃ    脚部
４      操作パネル
５      台座部
６      開孔部
７      基台蓋部
８      推進部
８ａ    回転軸
８ｂ    軸受け部
９      撹拌部
９ａ    支持台
１０    駆動部
１１    隔壁
１１ａ  仕切り部
１１ｂ  開口部
１２    推進翼
１３    電動機
１３ａ  回転軸
ＡＵＴ  外部機器接続端子
Ｇ      装飾片
Ｌ      封入液
ＭＣ    マイク
ＰＭ１  第１の永久磁石
ＰＭ２  第２の永久磁石
ＰＳＫ  電源キー
ＳＤＫ  スノーダンスキー
ＳＰ    スピーカー
ＵＢＴ  マイクロＵＳＢ端子
ＶＭＫ  ボリュームキー
【図１】
0003202218.tif 000003
【図２】
0003202218.tif 000004
【図３】
0003202218.tif 000005
【図４】
0003202218.tif 000006
【図５】
0003202218.tif 000007
【図６】
0003202218.tif 000008